(57)【要約】【課題】更なる狭額縁化を実現できる面状照明装置を提供すること。【解決手段】実施形態の面状照明装置は、導光板と、ＬＥＤと、ＦＰＣと、配線とを備える。導光板は、入光面から入射された光を出射する。複数のＬＥＤは、入光面側に配置され、発光面から光を発する。ＦＰＣは、発光面と交差するＬＥＤの底面に対向し、ＬＥＤが実装される実装面を有する。配線は、ＦＰＣの実装面とは反対側の反対面に形成され、複数のＬＥＤを直列に接続する。【選択図】図２
2019067748.tif 000002
【特許請求の範囲】
【請求項１】
入光面から入射された光を出射する導光板と、
前記入光面側に配置され、発光面から前記光を発する複数の光源と、
前記発光面と交差する前記光源の底面に対向し、前記光源が実装される実装面を有する基板と、
前記基板の前記実装面とは反対側の反対面に形成され、前記複数の光源を直列に接続する配線と、を備える、面状照明装置。
【請求項２】
前記実装面に設けられ、前記光源の端子に接続されるランド部と、
前記ランド部に設けられ、当該ランド部と前記反対面とが電気的に接続される通電部と、をさらに備える、請求項１に記載の面状照明装置。
【請求項３】
前記底面に対して交差する前記光源の側面と、前記ランド部とが接続される、請求項２に記載の面状照明装置。
【請求項４】
前記光源は、
前記側面のうち、前記発光面および前記底面それぞれに対して交差する側面から突き出した突出部を有し、
前記ランド部は、
前記突出部と接続される、請求項３に記載の面状照明装置。
【請求項５】
前記ランド部は、
前記発光面および前記底面それぞれに対して交差する前記光源の側面側にそれぞれ設けられた１対の端子と接続される１対の接続部、を備え、
前記１対の接続部は、
互いに対向する位置が切り欠かれた切欠部を有し、
前記光源は、
上面視において前記切欠部を所定の領域で覆う、請求項２〜４のいずれか１つに記載の面状照明装置。
【請求項６】
前記接続部は、
前記切欠部に対して前記導光板側に形成される前腕部と、
前記切欠部に対して前記前腕部とは反対側に形成され、前記前腕部よりも領域面積が小さい後腕部とを有し、
前記通電部は、
前記前腕部に設けられる、請求項５に記載の面状照明装置。
【請求項７】
前記接続部は、
上面視において前記所定の領域で覆われない領域を有する、請求項５または６に記載の面状照明装置。
【請求項８】
入光面から入射された光を出射する導光板と、
前記入光面側に配置され、発光面から前記光を発する複数の光源と、
前記光源が実装される実装面を有する基板と、
前記基板の前記実装面とは反対側の反対面に形成され、前記複数の光源を直列に接続する配線と、
前記実装面に設けられ、前記光源の端子に接続されるランド部と、
前記ランド部に設けられ、前記ランド部と前記反対面とが電気的に接続される通電部と、を備え、
前記配線は、
前記反対面にのみ設けられ、前記通電部に接続される、面状照明装置。
【発明の詳細な説明】
【技術分野】
【０００１】
本発明は、面状照明装置に関する。
【背景技術】
【０００２】
従来、例えば、複数のＬＥＤ（Light  Emitting  Diode）が基板の実装面に並列に接続され、導光板の入光面から光が入射されることで光を出射する面状照明装置がある（例えば、特許文献１参照）。面状照明装置において、複数のＬＥＤは、例えば短冊状のＦＰＣ（Flexible  Printed  Circuit）の長手方向に沿って配列される。
【先行技術文献】
【特許文献】
【０００３】
【特許文献１】特開２０１６−２０７２７９号公報
【発明の概要】
【発明が解決しようとする課題】
【０００４】
しかしながら、従来の技術では、ＦＰＣの実装面において、ＬＥＤの短手方向側に配線を引き回す必要があるため、ＦＰＣの短手方向の長さを長くせざるを得ない。このため、従来の面状照明装置では、更なる狭額縁化を実現する点で改善の余地があった。
【０００５】
本発明は、上記に鑑みてなされたものであって、更なる狭額縁化を実現することができる面状照明装置を提供することを目的とする。
【課題を解決するための手段】
【０００６】
上述した課題を解決し、目的を達成するために、本発明の一態様に係る面状照明装置は、導光板と、複数の光源と、基板と、配線とを備える。前記導光板は、入光面から入射された光を出射する。前記複数の光源は、前記入光面側に配置され、発光面から前記光を発する。前記基板は、前記発光面と交差する前記光源の底面に対向し、前記光源が実装される実装面を有する。前記配線は、前記基板の前記実装面とは反対側の反対面に形成され、前記複数の光源を直列に接続する。
【０００７】
本発明の一態様によれば、更なる狭額縁化を実現することができる面状照明装置を提供することができる。
【図面の簡単な説明】
【０００８】
【図１】図１は、実施形態に係る面状照明装置の外観の一例を示す正面図である。
【図２】図２は、実施形態に係る面状照明装置の断面図である。
【図３Ａ】図３Ａは、実施形態に係るＦＰＣの実装面を示す図である。
【図３Ｂ】図３Ｂは、実施形態に係るＦＰＣの反対面を示す図である。
【図４】図４は、実施形態に係るランド部を示す図である。
【図５】図５は、実施形態に係る接続部を示す図である。
【図６】図６は、実施形態に係るランド部とＬＥＤとの位置関係を示す図である。
【図７】図７は、実施形態に係るＦＰＣの断面図である。
【図８】図８は、変形例に係るＦＰＣの断面図である。
【図９】図９は、変形例に係るＦＰＣの断面図である。
【０００９】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。各図面において、説明を分かりやすくするために、面状照明装置の光の出射方向をＺ軸正方向とする３次元の直交座標系を図示する場合がある。
【００１０】
図１は、実施形態に係る面状照明装置の外観の一例を示す正面図である。図１の例に示すように、実施形態に係る面状照明装置１の形状は、上面視で略矩形状である。面状照明装置１の長手方向（Ｙ軸方向）の一端側は、第１遮光シート１０ａおよび第２遮光シート１０ｂを含む遮光シート１０で覆われる。また、面状照明装置１の長手方向の他端側は、遮光シート１００で覆われる。
【００１１】
そして、面状照明装置１は、遮光シート１０、１００で覆われていない発光領域（発光エリアとも称される）Ｒから光を出射する。すなわち、遮光シート１０、１００により、発光領域Ｒが規定される。本実施形態に係る面状照明装置１は、液晶表示装置のバックライトとして用いられる。かかる液晶表示装置は、例えば、スマートフォンにおいて用いられる。
【００１２】
また、図１に示すように、遮光シート１００よりも遮光シート１０の方が、幅が広い。これは、遮光シート１００は、遮光シート１００のＺ軸負方向側である下部に存在する後述する導光板、拡散シート、プリズムシートを覆うのに対して、遮光シート１０は、遮光シート１０の下部に存在する後述する導光板、拡散シート、プリズムシートに加え、後述するＬＥＤ（Light  Emitting  Diode）やＦＰＣ（Flexible  Printed  Circuit）等をさらに含む比較的広い領域を覆うためである。
【００１３】
次に、図２を用いて、図１のＡ−Ａ線で切断した場合の断面について説明する。図２は、実施形態に係る面状照明装置１の断面図である。図２に示すように、面状照明装置１は、第１遮光シート１０ａと、第２遮光シート１０ｂと、フレーム１１と、ＬＥＤ１２と、導光板１３と、ＦＰＣ１４と、プリズムシート１５と、拡散シート１６と、第１連結部材１７と、第２連結部材１８とを備える。
【００１４】
フレーム１１は、側壁１１ａおよび底面１１ｂを有し、ＬＥＤ１２と、導光板１３と、ＦＰＣ１４と、プリズムシート１５と、拡散シート１６と、第１連結部材１７と、第２連結部材１８とを収容する筐体である。
【００１５】
ＬＥＤ１２は、例えば、点状の光源である。本実施形態では、複数のＬＥＤ１２が、ＦＰＣ１４の長手方向であるＸ軸方向に沿って、所定間隔で並べて配置される。また、ＬＥＤ１２は、例えば、青色ＬＥＤと黄色蛍光体とからなる疑似白色ＬＥＤである。
【００１６】
ＬＥＤ１２は、全体として略直方体状に形成され、底面１２ｂと、側面１２ａ，１２ｃ，１２ｄ，１２ｅとを有する。側面１２ａ（発光面１２ａ１）は、底面１２ｂに対して交差（例えば、直交）する側面であって、一部の領域である発光面１２ａ１から後述する導光板１３側であるＹ軸正方向へ向けて光が出射される面である。なお、側面１２ａは、領域全体が発光面１２ａ１であってもよい。底面１２ｂは、発光面１２ａ１（側面１２ａ）に対して交差する面であって、後述するＦＰＣ１４の実装面１４ａと対向する面である。側面１２ｃは、底面１２ｂに対して交差する側面であって、発光面１２ａ１（側面１２ａ）の反対側にある裏面（以下、裏面１２ｃ）である。側面１２ｄおよび側面１２ｅは、発光面１２ａ１および底面１２ｂそれぞれに対して交差する側面である。すなわち、ＬＥＤ１２は、発光面１２ａ１が実装面１４ａと直交するサイドビュー型である。なお、ＬＥＤ１２は、発光面１２ａ１の反対側の面がＦＰＣ１４と対向する、いわゆるトップビュー型であってもよい。側面１２ｅは、裏面１２ｃとともに、半田６０によってＦＰＣ１４と固定される面であるが、かかる点の詳細については図６で後述する。なお、側面１２ｅとは反対側の側面１２ｄ（図６参照）も同様に半田６０によって固定される。
【００１７】
導光板１３は、透明材料（例えば、ポリカーボネート樹脂）を用いて上面視で矩形状に形成されている。導光板１３は、２つの主面１３ａ、１３ｂと、側面１３ｃとを有する。側面１３ｃは、ＬＥＤ１２の発光面１２ａ１と対向し、発光面１２ａ１の光が入射する入光面（以下、入光面１３ｃと記載する）である。主面１３ａは、入光面１３ｃから入射した光が出射される出射面（以下、出射面１３ａと記載する）である。主面１３ｂは、出射面１３ａの反対側にある反対面（以下、反対面１３ｂと記載する）である。反対面１３ｂには、例えば、複数のドットからなる光路変更パターンが形成される。
【００１８】
これにより、導光板１３内を進む光の進行方向が変更されて、出射面１３ａからより多くの光が出射される。すなわち、実施形態に係る面状照明装置１は、導光板１３のエッジ（入光面１３ｃ）に沿ってＬＥＤ１２が配置される、いわゆるエッジライト型の照明装置である。
【００１９】
なお、導光板１３は、例えば、側面１３ｃ側に楔部が設けられてもよい。具体的には、導光板１３は、側面１３ｃ側から側面１３ｃとは反対側であるＹ軸正方向側の側面（図示せず）に向かって導光板１３の厚さが漸減する部位である楔部が設けられてもよい。
【００２０】
ＦＰＣ１４は、複数のＬＥＤ１２の配列方向であるＸ軸方向に延在する短冊状の柔軟性の基板である。なお、ＦＰＣ１４は、基板の一例であって、硬質性（リジッド）の基板であってもよい。
【００２１】
ＦＰＣ１４は、フレーム１１の底面１１ｂ側において、ＬＥＤ１２および導光板１３と、フレーム１１の底面１１ｂとの間に、導光板１３の主面１３ｂと略平行に配置される。ＦＰＣ１４は、２つの主面１４ａ，１４ｂを有する。主面１４ａは、ＬＥＤ１２が実装される実装面（以下、実装面１４ａと記載する）である。実装面１４ａは、ＬＥＤ１２の底面１２ｂと対向する。また、主面１４ｂは、実装面１４ａとは反対側の反対面（以下、反対面１４ｂと記載する）である。また、ＦＰＣ１４は、図示しない駆動回路に接続され、かかる駆動回路によってＬＥＤ１２が点灯制御される。なお、ＦＰＣ１４は、フレーム１１の底面１１ｂ側に設けられたが、導光板１３の出射面１３ａ側に設けられてもよい。具体的には、ＦＰＣ１４は、ＬＥＤ１２の底面１２ｂとは反対側であるＺ軸正方向側の天面側に配置されてもよい。
【００２２】
プリズムシート１５は、後述の拡散シート１６により拡散された光の配光制御を行い、配光制御が行われた光をＺ軸正方向である光の出射方向へ出射する。
【００２３】
拡散シート１６は、導光板１３の出射面１３ａ側に配置され、出射面１３ａから出射される光を拡散する。具体的には、例えば、拡散シート１６は、出射面１３ａを覆うように配置され、出射面１３ａから出射された光を拡散する。
【００２４】
第１連結部材１７および第２連結部材１８は、例えば、両面テープである。第１連結部材１７は、導光板１３とＬＥＤ１２とを光学的または構造的に連結させる。具体的には、第１連結部材１７は、導光板１３の入光面１３ｃとＬＥＤ１２の発光面１２ａ１とを連結させる。
【００２５】
第２連結部材１８は、導光板１３の主面１３ｂとＦＰＣ１４との間に配置され、導光板１３をＦＰＣ１４に固定する部材である。例えば、第２連結部材１８は、一方の面が、ＦＰＣ１４の主面１４ａにおける導光板１３寄りの少なくとも一部に貼り付けられるとともに、導光板１３の主面１３ｂにおけるＬＥＤ１２寄りの少なくとも一部に貼り付けられる。
【００２６】
次に、図３Ａおよび図３Ｂを用いて、ＦＰＣ１４についてさらに説明する。図３Ａは、ＦＰＣ１４の実装面１４ａを示す図である。図３Ｂは、ＦＰＣ１４の反対面１４ｂを示す図である。
【００２７】
まず、図３Ａを用いて、ＦＰＣ１４の実装面１４ａについて説明する。図３Ａに示すように、実装面１４ａには、複数のランド部２０−１〜２０と、外部接続部４１とが設けられる。ランド部２０−１〜２０は、ＬＥＤ１２の電極端子（後述の端子２４ａ，２４ｂ）に電気的に接続される部位であり、例えば、金属等の導電性の部材である。
【００２８】
図３Ａに示すように、複数のランド部２０−１〜２０それぞれには、ＬＥＤ１２−１〜２０が１個ずつ配置される。つまり、図３Ａでは、実装面１４ａには、総数２０個のＬＥＤ１２が配置される。なお、図３Ａに示すＬＥＤ１２の数は一例であって、１個以上の任意の数であってもよい。
【００２９】
また、複数のランド部２０−１〜２０それぞれには、実装面１４ａとは反対側の反対面１４ｂ（図３Ｂ参照）と電気的に接続される２つの通電部３０−１ａ〜２０ａ，３０−１ｂ〜２０ｂが設けられる。
【００３０】
通電部３０−１ａ〜２０ａ，３０−１ｂ〜２０ｂは、例えば、実装面１４ａおよび反対面１４ｂを物理的に貫通する穴が形成されない、いわゆるブラインドビアホールである。なお、通電部３０−１ａ〜２０ａ，３０−１ｂ〜２０ｂは、実装面１４ａおよび反対面１４ｂを貫通する穴が形成される、いわゆるスルーホール等の他ビアホールであってもよい。
【００３１】
例えば、ランド部２０−１には、ＬＥＤ１２−１のアノード端子に電気的に接続される通電部３０−１ａと、カソード端子に電気的に接続される通電部３０−１ｂとが設けられる。
【００３２】
また、実装面１４ａにおいて、ランド部２０−１〜２０の外縁には、ＬＥＤ１２−１〜２０を接続する配線やその配線を覆うカバーフィルムが設けられていない。換言すれば、かかる配線は、反対面１４ｂにのみ設けられる。
【００３３】
これにより、従来のように、配線を引き回すスペースを実装面１４ａに設ける必要がないため、ランド部２０−１〜２０の上下側（Ｙ軸方向）にある外縁の領域を狭くできる。つまり、実施形態に係る面状照明装置１では、ＦＰＣ１４の短手方向であるＹ軸方向の長さを短くできるため、更なる狭額縁化を実現できる。
【００３４】
外部接続部４１は、ＦＰＣ１４とＬＥＤ１２の点灯制御を行う駆動回路とを接続する部位である。外部接続部４１は、反対面１４ｂから孔部を介して実装面１４ａに配線が引き回され、かかる配線がカバーレイフィルムで保護されるとともに、駆動回路に接続される。
【００３５】
なお、外部接続部４１の反対面１４ｂから実装面１４ａ側に配線が引き回されるようにしたが、必ずしも実装面１４ａ側に配線が引き回される必要はなく、反対面１４ｂ側にのみ配線が設けられてよい。
【００３６】
なお、ランド部２０−１〜２０や通電部３０−１ａ〜２０ａ，３０−１ｂ〜２０ｂの詳細については、図４〜図６で後述する。また、以下では、ランド部２０−１〜２０や通電部３０−１ａ〜２０ａ，３０−１ｂ〜２０ｂを特に区別しない場合、総称して「ランド部２０」や「通電部３０ａ」、「通電部３０ｂ」と記載する。
【００３７】
次に、図３Ｂを用いて、ＦＰＣ１４の反対面１４ｂについて説明する。図３Ｂに示すように、反対面１４ｂには、配線４０−１〜２２と、外部接続部４１とが設けられる。配線４０−１〜２２は、例えば、銅箔等の金属からなる導電性の部材であり、エッチング等により導通パターンが形成されている。なお、配線４０−１〜２２は、例えばポリイミド等で形成されるカバーレイフィルム（図示せず）で保護されている。
【００３８】
配線４０−１〜２２のうち、配線４０−１，４０−１１，４０−１２，４０−２２には、引き回し線４０−１ａ，４０−１１ａ，４０−１２ａ，４０−２２ａが接続される。
【００３９】
引き回し線４０−１ａは、配線４０−２〜１１のＹ軸負方向側である下側を引き回されることで、配線４０−１および配線４０−１２を電気的に接続する。
【００４０】
引き回し線４０−１１ａは、配線４０−１２〜４０−２１のＹ軸正方向側である上側を引き回されるとともに、配線４０−２１および配線４０−２２の間を引き回されることで、配線４０−１１と外部接続部４１とを接続するとともに、駆動回路に電気的に接続される。
【００４１】
引き回し線４０−１２ａは、配線４０−１３〜４０−２１の下側を引き回されることで、配線４０−１および配線４０−１２と外部接続部４１とを接続するとともに、駆動回路に電気的に接続される。
【００４２】
引き回し線４０−２２ａは、配線４０−２１の下側を引き回されることで、配線４０−２２と外部接続部４１とを接続するとともに、駆動回路に電気的に接続される。また、各配線４０−１〜２２は、配線４０−１および配線４０−１２を除き、それぞれが電気的に絶縁されている。
【００４３】
また、各配線４０−１〜２２は、配線４０−１，４０−１１，４０−１２，４０−２２を除き、２つの通電部３０−１ａ〜２０ａ，３０−１ｂ〜２０ｂに接続される。そして、実装面１４ａ（図３Ａ）に配置されるＬＥＤ１２は、反対面１４ｂでは、図３Ｂに示す破線の位置となる。具体的には、図３Ｂにおいて、２０個のＬＥＤ１２−１〜２０は、配線４０−１〜２２によって、１０個が直列に接続されたＬＥＤ列が２列並列に接続される。
【００４４】
より具体的には、各ＬＥＤ１２−１〜２０は、各配線４０−１〜２２間をまたぐように配置される。例えば、右側（Ｘ軸正方向側）から１個目のＬＥＤ１２−１は、アノード端子（後述の端子２４ａ）が通電部３０−１ａを介して配線４０−１に接続され、カソード端子（後述の端子２４ｂ）が通電部３０−１ｂを介して配線４０−２に接続される。つまり、ＬＥＤ１２−１は、配線４０−１および配線４０−２間を跨いで配置される。
【００４５】
また、右側から２個目のＬＥＤ１２−２は、アノード端子が通電部３０−２ａを介して配線４０−２に接続され、カソード端子が通電部３０−２ｂを介して配線４０−３に接続される。つまり、ＬＥＤ１２−２は、配線４０−２および配線４０−３間を跨いで配置される。
【００４６】
また、右側から１０個目のＬＥＤ１２−１０は、アノード端子が通電部３０−１０ａを介して配線４０−１０に接続され、カソード端子が通電部３０−１０ｂを介して配線４０−１１に接続される。つまり、ＬＥＤ１２−１０は、配線４０−１０および配線４０−１１間を跨いで配置される。すなわち、図３Ｂでは、１０個のＬＥＤ１２−１〜１０および１０個のＬＥＤ１２−１１〜２０それぞれが直列に接続される。
【００４７】
次に、図４を用いて、ランド部２０について詳細に説明する。図４は、ランド部２０を示す図である。図４に示すように、ランド部２０は、１対の接続部２１ａ，２１ｂと、２つのガイド部２２ａ，２２ｂと、補強部２３とを有する。
【００４８】
１対の接続部２１ａ，２１ｂそれぞれには、通電部３０−ａ，３０−ｂが設けられ、ＬＥＤ１２（図６参照）の電極端子（後述の端子２４ａ，２４ｂ）が電気的に接続される。具体的には、接続部２１ａには、ＬＥＤ１２のアノード端子が接続され、接続部２１ｂには、ＬＥＤ１２のカソード端子が接続される。なお、２つの接続部２１ａ，２１ｂを特に区別しない場合、「接続部２１」と記載する。
【００４９】
ガイド部２２ａ，２２ｂは、２つの接続部２１ａ，２１ｂに挟まれるように配置される。ガイド部２２ａ，２２ｂは、ＬＥＤ１２の実装時に適正な位置および姿勢で実装されたかどうかを検査するための目印である。
【００５０】
補強部２３は、２つのガイド部２２ａ，２２ｂに挟まれるように配置される。補強部２３は、ＬＥＤ１２の実装時にＬＥＤ１２と半田で固定されることで、ＬＥＤ１２の実装強度を補強する。これにより、ＬＥＤ１２の位置ズレやがたつきを防止することができる。
【００５１】
なお、ガイド部２２ａ，２２ｂおよび補強部２３は、必ずしも必要ではなく、省略することも可能である。また、図４に示すガイド部２２ａ，２２ｂおよび補強部２３の数は、一例であって、任意の数が設定されてもよい。
【００５２】
次に、図５を用いて、接続部２１について詳細に説明する。図５は、接続部２１を示す図である。図５に示すように、接続部２１は、上面視コ字形状を有する。具体的には、接続部２１は、前腕部２１０と、後腕部２１１、連結部２１２とを備える。
【００５３】
前腕部２１０は、ＬＥＤ１２の発光面１２ａ１（図６参照）側に設けられ、前腕部２１０のＹ軸方向である長さを示す前腕長Ａ１を有するとともに、上記した通電部３０が配置される。また、前腕部２１０は、後述の切欠部２１３に対してＹ軸正方向側である導光板１３（図２参照）側に形成される。後腕部２１１は、ＬＥＤ１２の裏面１２ｃ側に設けられ、後腕部２１１のＹ軸方向への長さを示す後腕長Ａ２を有する。また、後腕部２１１は、切欠部２１３に対して前腕部２１０とは反対側に形成される。
【００５４】
図５に示すように、接続部２１は、Ｘ軸を対称軸として非対称の形状である。具体的には、接続部２１は、前腕長Ａ１が、後腕長Ａ２よりも長い。つまり、後腕部２１１は、前腕部２１０よりも領域面積が小さい。これにより、通電部３０の形成位置の自由度が増すとともに、通電部３０の形成工程を容易化することができる。
【００５５】
連結部２１２は、前腕部２１０および後腕部２１１を連結する。また、連結部２１２は、一部が矩形状に切り欠かれた切欠部２１３を有する。なお、接続部２１は、コの字形状に限定されず、Ｕ字形状やＶ字形状であってもよい。つまり、切欠部２１３は、曲線状に切り欠かれてもよく、Ｖ字状に切り欠かれてもよい。
【００５６】
次に、図６を用いて、ランド部２０とＬＥＤ１２との実装時における位置関係について説明する。図６は、実施形態に係るランド部２０とＬＥＤ１２との位置関係を示す図である。
【００５７】
図６に示すように、１対の接続部２１ａ，２１ｂは、ＬＥＤ１２のＸ軸方向の両端に接続される側面１２ｄ，１２ｅ側に設けられる。また、切欠部２１３ａ，２１３ｂは、１対の接続部２１ａ，２１ｂが互いに対向する位置に設けられる。また、切欠部２１３ａ，２１３ｂは、Ｙ軸負方向側であるＬＥＤ１２の裏面１２ｃ側に設けられ、通電部３０−ａ，３０−ｂは、ＬＥＤ１２のＹ軸正方向側である発光面１２ａ１側に設けられる。ランド部２０は、Ｚ軸正方向側から見た上面視において、一部の領域５０ａ，５０ｂ，５０ｃ，５０ｄ，５０ｅが重なるようにＬＥＤ１２が実装される。具体的には、ＬＥＤ１２は、接続部２１ａ，２１ｂの切欠部２１３ａ，２１３ｂを所定の領域（領域５０ａ，５０ｅ）で覆う。換言すれば、接続部２１ａ，２１ｂは、上面視において、ＬＥＤ１２の所定の領域で覆われない領域（領域５０ａ，５０ｅ以外の領域）を有する。
【００５８】
そして、接続部２１ａ，２１ｂのＬＥＤ１２で覆われない領域とＬＥＤ１２の側面１２ｄ，１２ｅ（図７参照）および裏面１２ｃとを半田６０ａ，６０ｂによって固定する。すなわち、ランド部２０は、ＬＥＤ１２の底面１２ｂに対して交差する側面である側面１２ｄ，１２ｅおよび裏面１２ｃに接続される。つまり、ＬＥＤ１２で覆われない領域を有することで、接続部２１ａ，２１ｂとＬＥＤ１２との半田固定を容易にすることができる。
【００５９】
さらに、切欠部２１３ａ，２１３ｂを覆うようにしてＬＥＤ１２を固定することで、半田６０ａ，６０ｂが接続部２１ａ，２１ｂ上のみに広がり、切欠部２１３ａ，２１３ｂ側へ半田６０ａ，６０ｂが広がらないようにできる。つまり、ＬＥＤ１２の底面１２ｂ（図７参照）に半田６０ａ，６０ｂが広がらないようにできるため、ＬＥＤ１２の浮き上がりを防止でき、面状照明装置１の更なる薄型化を実現できる。
【００６０】
また、図６に示すように、ＬＥＤ１２は、側面１２ｄ，１２ｅ側にそれぞれ設けられる１対の端子２４ａ，２４ｂを有する。端子２４ａは、アノード端子であり、領域５０ａにおいて接続部２１ａに接続される。また、端子２４ｂは、カソード端子であり、領域５０ｅにおいて接続部２１ｂに接続される。また、端子２４ａが接続される接続部２１ａは、側面１２ｄから突き出た突出部７０ａに接続される。また、端子２４ｂが接続される接続部２１ｂは、側面１２ｅから突き出た突出部７０ｂに接続される。つまり、ランド部２０は、突出部７０ａおよび突出部７０ｂに接続される。
【００６１】
具体的には、図６に示すように、ＬＥＤ１２の側面１２ｄは、３つの面により構成される。より具体的には、側面１２ｄは、第１の面１２ｄ１と、第２の面１２ｄ２と、第３の面１２ｄ３とにより構成される。第１の面１２ｄ１は、発光面１２ａ１側の面であり、発光面１２ａ１に対して直交する方向（Ｙ軸方向）に延在する面である。第２の面１２ｄ２は、Ｙ軸負方向側において第１の面１２ｄ１と連続する面であって、発光面１２ａ１に対して略平行な方向（Ｘ軸方向）に延在する面である。第３の面１２ｄ３は、Ｘ軸正方向側において第２の面１２ｄ２と連続する面であり、発光面１２ａ１に対して直交する方向（Ｙ軸方向）に延在する面である。また、第３の面１２ｄ３は、Ｙ軸負方向側において裏面１２ｃの周端部である一部の面１２ｃｄと連続する面である。また、一部の面１２ｃｄは、裏面１２ｃのうち、側面１２ａと裏面側で重なる領域と、一部の面１２ｃｅとを除いた領域である。上記した突出部７０ａは、第２の面１２ｄ２、第３の面１２ｄ３および一部の面１２ｃｄにより構成される。また、図６に示すように、ＬＥＤ１２の端子２４ａの形状は、突出部７０ａを構成する３つの面（第２の面１２ｄ２、第３の面１２ｄ３および一部の面１２ｃｄ）により形成される上面視コ字状である。
【００６２】
また、図６に示すように、ＬＥＤ１２の側面１２ｅは、３つの面により構成される。具体的には、側面１２ｅは、第１の面１２ｅ１と、第２の面１２ｅ２と、第３の面１２ｅ３とにより構成される。第１の面１２ｅ１は、発光面１２ａ１側の面であり、発光面１２ａ１に対して直交する方向（Ｙ軸方向）に延在する面である。第２の面１２ｅ２は、Ｙ軸負方向側において第１の面１２ｅ１と連続する面であって、発光面１２ａ１に対して略平行な方向（Ｘ軸方向）に延在する面である。第３の面１２ｅ３は、Ｘ軸負方向側において第２の面１２ｅ２と連続する面であり、発光面１２ａ１に対して直交する方向（Ｙ軸方向）に延在する面である。また、第３の面１２ｅ３は、Ｙ軸負方向側において裏面１２ｃの周端部である一部の面１２ｃｅと連続する面である。また、一部の面１２ｃｅは、裏面１２ｃのうち、側面１２ａと裏面側で重なる領域と、上記した一部の面１２ｃｄとを除いた領域である。上記した突出部７０ｂは、第２の面１２ｅ２，第３の面１２ｅ３および一部の面１２ｃｅにより構成される。また、図６に示すように、ＬＥＤ１２の端子２４ｂの形状は、突出部７０ｂを構成する３つの面（第２の面１２ｅ２，第３の面１２ｅ３および一部の面１２ｃｅ）により形成される上面視コ字状である。
【００６３】
そして、切欠部２１３ａ，２１３ｂの形状は、上面視コ字状である端子２４ａ，２４ｂの形状に合わせた形状である。これにより、上面視コ字状の端子２４ａ，２４ｂによって接続部２１ａ，２１ｂの切欠部２１３ａ，２１３ｂが覆われるため、ランド部２０に対するＬＥＤ１２の位置決めを容易かつ高精度に行うことができる。なお、切欠部２１３ａ，２１３ｂの形状は、端子２４ａ，２４ｂの形状に合わせて任意に設定可能であり、例えば、端子２４ａ，２４ｂの形状は、上面視コ字状以外に、上面視でＵ字状やＶ字状であってもよい。
【００６４】
次に、図７を用いて、図６のＢ−Ｂ線で切断した場合の断面について説明する。図７は、実施形態に係るＦＰＣ１４（ＬＥＤ１２が実装された状態のＦＰＣ１４）の断面図である。図７に示すように、ＬＥＤ１２は、突出部７０ａ，７０ｂを構成する第３の面１２ｄ３，１２ｅ３と接続部２１ａ，２１ｂとが半田６０ａ，６０ｂによって固定される。なお、図７では示していないが、上記したように、第３の面１２ｄ３，１２ｅ３以外にも、突出部７０ａ，７０ｂを構成する第２の面１２ｄ２，１２ｅ２および一部の面１２ｃｄ，１２ｃｅも半田６０ａ，６０ｂによって固定される。
【００６５】
具体的には、ＬＥＤ１２は、突出部７０ａを構成する第２の面１２ｄ２および第３の面１２ｄ３と、一部の面１２ｃｄとが接続部２１ａと半田６０ａによって固定され、突出部７０ｂを構成する第２の面１２ｅ２および第３の面１２ｅ３と、一部の面１２ｃｅとが接続部２１ｂと半田６０ｂによって固定される。つまり、ＬＥＤ１２は、底面１２ｂに対して交差する側面（側面１２ｄ，１２ｅおよび裏面１２ｃ）と、ＦＰＣ１４の実装面１４ａとが固定される。これにより、底面１２ｂと実装面１４ａとの間に半田を設ける必要がなくなるため、半田による上方向（Ｚ軸正方向側）への浮き上がりを防止できるため、面状照明装置１の更なる薄型化を実現できる。
【００６６】
なお、図７では、断面視で矩形状のＬＥＤ１２の場合について説明したが、ＬＥＤ１２は、矩形状に限定されるものではない。ＬＥＤ１２が他の形状である場合について図８および図９を用いて説明する。
【００６７】
図８および図９は、変形例に係るＦＰＣ１４の断面図である。図８に示すように、ＬＥＤ１２は、側面１２ｄ，１２ｅの（第３の面１２ｄ３，１２ｅ３）の一部が切り欠かれた切欠部１２ｄａ，１２ｅａを有し、かかる切欠部１２ｄａ，１２ｅａを埋めるようにして半田６０ａ，６０ｂで固定してもよい。
【００６８】
かかる場合、切欠部１２ｄａ，１２ｅａは、接続部２１ａ，２１ｂに対応する位置に設けられることが好ましい。具体的には、切欠部１２ｄａ，１２ｅａは、接続部２１ａ，２１ｂの発光面１２ａ１に近い側の端部までが切り欠かれることが好ましい。このように、切欠部１２ｄａ，１２ｅａまで半田６０ａ，６０ｂを設けて固定することで、ＬＥＤ１２の実装強度を強めつつ、狭額縁化を実現できる。
【００６９】
また、図９に示すように、切欠部１２ｄａ，１２ｅａの内部にのみ半田６０ａ，６０ｂを設けるようにしてもよい。例えば、切欠部１２ｄａ，１２ｅａに半田６０ａ，６０ｂを埋めた後、側面１２ｄ，１２ｅからはみ出した部分を削ることで製造できる。
【００７０】
このようにすることで、接続部２１ａ，２１ｂの上面視における面積（特にＸ軸方向への長さを短くできる）を小さくできるため、ＦＰＣ１４の長手方向への単位長さあたりのＬＥＤ１２の数を増やすことができる。
【００７１】
上述したように、実施形態に係る面状照明装置１は、導光板１３と、ＬＥＤ１２（光源の一例）と、ＦＰＣ１４（基板の一例）と、配線４０とを備える。導光板１３は、入光面１３ｃから入射された光を出射する。複数のＬＥＤ１２は、入光面１３ｃ側に配置され、発光面１２ａ１から光を発する。ＦＰＣ１４は、ＬＥＤ１２の発光面１２ａ１と交差する底面１２ｂに対向することでＬＥＤ１２が実装される実装面１４ａを有する。配線（配線４０−１〜２２，引き回し線４０−１ａ，４０−１１ａ，４０−１２ａ，４０−２２ａ）は、ＦＰＣ１４の実装面１４ａとは反対側の反対面１４ｂに形成され、複数のＬＥＤ１２を直列に接続する。
【００７２】
これにより、配線を引き回すスペースを実装面１４ａに設ける必要がないため、ランド部２０−１〜２０の上下側（Ｙ軸方向）にある外縁の領域を狭くできる。つまり、実施形態に係る面状照明装置１では、ＦＰＣ１４の短手方向であるＹ軸方向の長さを短くできるため、更なる狭額縁化を実現できる。
【００７３】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００７４】
１  面状照明装置、１０，１００  遮光シート、  １１  フレーム、  １２  ＬＥＤ、  １３  導光板、  １４  ＦＰＣ、  １５  プリズムシート、  １６  拡散シート、  １７  第１連結部材、  １８  第２連結部材、  ２０  ランド部、  ２１  接続部、  ２２ａ，２２ｂ  ガイド部、  ２３  補強部、  ３０  通電部、  ４０  配線、  ４１  外部接続部、  ６０ａ，６０ｂ  半田、  ２１０  前腕部、  ２１１  後腕部、  ２１２  連結部、  ２１３  切欠部
【図１】
2019067748.tif 000003
【図２】
2019067748.tif 000004
【図３Ａ】
2019067748.tif 000005
【図３Ｂ】
2019067748.tif 000006
【図４】
2019067748.tif 000007
【図５】
2019067748.tif 000008
【図６】
2019067748.tif 000009
【図７】
2019067748.tif 000010
【図８】
2019067748.tif 000011
【図９】
2019067748.tif 000012